(57)【要約】【課題】ＩＳＤＬ信号の情報を通信品質を落とすことなくＤＳＬ加入者回線でも送受信できるようにすることにある。【解決手段】ＣＴ１４３，２４３がＬＴ１４２，２４２を介してＩＤＳＬポート１４１，２４１からのＩＤＳＬ信号を受信するとその受信したＩＤＳＬ信号からピンポンフレーム信号を抽出してＲＡＭ１３の送信バッファに格納し、送信バッファに格納されると、送信バッファに格納されたＩＤＳＬのピンポンフレーム信号をＤＳＬ信号の中に組み込んでＤＳＬ１５１，２５１ポートを介して送信する。また、モデム部１５２，２５２がＤＳＬポート１５１，２５１からＤＳＬ信号を受信するとその受信したＤＳＬ信号の中からピンポンフレーム信号を分離し、分離したピンポンフレームを４００Ｈｚの周期に合わせてＩＤＳＬ信号に乗せＩＤＳＬポート１４１、２４１を介して送信する。【選択図】　　　図１
2004064219.tif 000002
【特許請求の範囲】
【請求項１】
第１の装置と第２の装置との間をＤＳＬ加入者回線で接続し前記ＤＳＬ加入者回線上にＤＳＬ信号が流れるＤＳＬ通信方式であって、
ＩＤＳＬのピンポンフレーム信号をＤＳＬ信号に組み込みその組み込んだＤＳＬ信号を前記ＤＳＬ加入者回線に流す手段を有することを特徴とするＤＳＬ通信方式。
【請求項２】
第１のＩＤＳＬ回線とのやり取りを行う第１の装置と前記ＩＤＳＬにより第２のＩＤＳＬ回線とのやり取りを行う第２の装置との間をＤＳＬ加入者回線で接続し前記ＤＳＬ加入者回線上にＤＳＬ信号が流れるＤＳＬ通信方式であって、
前記第１の装置は、前記第１のＩＤＳＬ回線からのＩＤＳＬのピンポンフレーム信号をＤＳＬ信号の中に組み込んで前記ＤＳＬ加入者回線を介して前記第２の装置に対して送信する第１の送信手段と、
前記ＤＳＬ加入者回線からのＤＳＬ信号を受信するとその受信したＤＳＬ信号の中からＩＤＳＬのピンポンフレーム信号を分離して前記第１のＩＤＳＬ回線に送信する第２の送信手段と、を有し、
前記第２の装置は、前記第２のＩＤＳＬ回線からのＩＤＳＬのピンポンフレーム信号をＤＳＬ信号の中に組み込んで前記ＤＳＬ加入者回線を介して前記第１の装置に対して送信する第３の送信手段と、
前記ＤＳＬ加入者回線からのＤＳＬ信号を受信するとその受信したＤＳＬ信号の中からＩＤＳＬのピンポンフレーム信号を分離して前記第２のＩＤＳＬ回線に送信する第４の送信手段と、を有することを特徴とするＤＳＬ通信方式。
【請求項３】
第１のＩＤＳＬ回線とのやり取りを行う第１の装置と前記ＩＤＳＬにより第２のＩＤＳＬ回線とのやり取りを行う第２の装置との間をＤＳＬ加入者回線で接続し前記ＤＳＬ加入者回線上にＤＳＬ信号が流れるＤＳＬ通信方式であって、
前記第１の装置は、前記第１のＩＤＳＬ回線からのＩＤＳＬのピンポンフレーム信号を受信するとすぐ後のＤＳＬ信号がＩＤＳＬであることを示す制御情報を前記ＤＳＬ信号に乗せることで前記第２の装置に対して前記ＤＳＬ信号にＩＤＳＬのピンポンフレーム信号が乗っていることを通知する第１の通知手段と、
前記通知手段による通知直後に前記第１のＩＤＳＬ回線からのＩＤＳＬのピンポンフレーム信号をＤＳＬ信号の中に組み込んで前記ＤＳＬ加入者回線を介して前記第２の装置に対して送信する第１の送信手段と、
前記ＤＳＬ加入者回線からの前記制御情報受信直後にＤＳＬ信号を受信するとその受信したＤＳＬ信号の中からＩＤＳＬのピンポンフレーム信号を分離して前記第１のＩＤＳＬ回線に送信する第２の送信手段と、を有し、
前記第２の装置は、前記第２のＩＤＳＬ回線からのＩＤＳＬのピンポンフレーム信号を受信するとすぐ後のＤＳＬ信号がＩＤＳＬであることを示す制御情報を前記ＤＳＬ信号に乗せることで前記第１の装置に対して前記ＤＳＬ信号にＩＤＳＬのピンポンフレーム信号が乗っていることを通知する第２の通知手段と、
前記通知手段による通知直後に前記第２のＩＤＳＬ回線からのＩＤＳＬのピンポンフレーム信号をＤＳＬ信号の中に組み込んで前記ＤＳＬ加入者回線を介して前記第２の装置に対して送信する第３の送信手段と、
前記ＤＳＬ加入者回線からの前記制御情報受信直後にＤＳＬ信号を受信するとその受信したＤＳＬ信号の中からＩＤＳＬのピンポンフレーム信号を分離して前記第２のＩＤＳＬ回線に送信する第４の送信手段と、を有することを特徴とするＤＳＬ通信方式。
【請求項４】
ＩＤＳＬポートを介してＩＤＳＬ信号により他とやり取りを行い、ＤＳＬポートを介してＤＳＬ信号により他とやり取りを行うＤＳＬ通信装置であって、
前記ＩＤＳＬポートからの前記ＩＤＳＬ信号を受信するとその受信したＩＤＳＬ信号からピンポンフレーム信号を抽出して前記ＤＳＬ信号の中に組み込みその組み込んだＤＳＬ信号を前記ＤＳＬポートを介して送信する第１の送信手段と、
前記ＤＳＬポートから前記ＤＳＬ信号を受信するとその受信したＤＳＬ信号の中から前記ピンポンフレーム信号を分離する分離手段と、
前記分離したピンポンフレームを４００Ｈｚの周期に合わせてＩＤＳＬ信号に乗せ前記ＩＤＳＬポートを介して送信する第２の送信手段と、を有することを特徴とするＤＳＬ通信装置。
【請求項５】
ＩＤＳＬポートを介してＩＤＳＬ信号により他とやり取りを行い、ＤＳＬポートを介してＤＳＬ信号により他とやり取りを行うＤＳＬ通信装置であって、
前記ＩＤＳＬポートからの前記ＩＤＳＬ信号を受信するとその受信したＩＤＳＬ信号からピンポンフレーム信号を抽出して送信バッファに格納する格納手段と、前記格納手段により格納するとすぐ後のＤＳＬ信号がＩＤＳＬであることを示す制御情報を前記ＤＳＬ信号の中に組み込みその組み込んだ制御情報を前記ＤＳＬ信号の中に組み込みその組み込んだＤＳＬ信号を前記ＤＳＬポートを介して送ることにより前記ＤＳＬ信号にＩＤＳＬのピンポンフレーム信号が乗っていることを通知する通知手段と、
前記通知手段による通知直後に前記送信バッファに格納されたＩＤＳＬのピンポンフレーム信号をＤＳＬ信号の中に組み込んで前記ＤＳＬポートを介して送信する第１の送信手段と、
前記ＤＳＬポートから前記制御情報受信直後にＤＳＬ信号を受信するとその受信したＤＳＬ信号の中から前記ピンポンフレーム信号を分離する分離手段と、
前記分離したピンポンフレームを４００Ｈｚの周期に合わせてＩＤＳＬ信号に乗せ前記ＩＤＳＬポートを介して送信する第２の送信手段と、を有することを特徴とするＤＳＬ通信装置。
【請求項６】
第１の装置と第２の装置との間をＤＳＬ加入者回線で接続し前記ＤＳＬ加入者回線上にＤＳＬ信号が流れるＤＳＬ通信方法であって、
ＩＤＳＬのピンポンフレーム信号をＤＳＬ信号に組み込みその組み込んだＤＳＬ信号を前記ＤＳＬ加入者回線に流すことを特徴とするＤＳＬ通信方法。
【請求項７】
第１のＩＤＳＬ回線とのやり取りを行う第１の装置と前記ＩＤＳＬにより第２のＩＤＳＬ回線とのやり取りを行う第２の装置との間をＤＳＬ加入者回線で接続し前記ＤＳＬ加入者回線上にＤＳＬ信号が流れるＤＳＬ通信方法であって、
前記第１の装置は、前記第１のＩＤＳＬ回線からのＩＤＳＬのピンポンフレーム信号をＤＳＬ信号の中に組み込んで前記ＤＳＬ加入者回線を介して前記第２の装置に対して送信し、
前記ＤＳＬ加入者回線からのＤＳＬ信号を受信するとその受信したＤＳＬ信号の中からＩＤＳＬのピンポンフレーム信号を分離して前記第１のＩＤＳＬ回線に送信し、
前記第２の装置は、前記第２のＩＤＳＬ回線からのＩＤＳＬのピンポンフレーム信号をＤＳＬ信号の中に組み込んで前記ＤＳＬ加入者回線を介して前記第１の装置に対して送信し、
前記ＤＳＬ加入者回線からのＤＳＬ信号を受信するとその受信したＤＳＬ信号の中からＩＤＳＬのピンポンフレーム信号を分離して前記第２のＩＤＳＬ回線に送信することを特徴とするＤＳＬ通信方法。
【請求項８】
第１のＩＤＳＬ回線とのやり取りを行う第１の装置と前記ＩＤＳＬにより第２のＩＤＳＬ回線とのやり取りを行う第２の装置との間をＤＳＬ加入者回線で接続し前記ＤＳＬ加入者回線上にＤＳＬ信号が流れるＤＳＬ通信方法であって、
前記第１の装置は、前記第１のＩＤＳＬ回線からのＩＤＳＬのピンポンフレーム信号を受信するとすぐ後のＤＳＬ信号がＩＤＳＬであることを示す制御情報を前記ＤＳＬ信号に乗せることで前記第２の装置に対して前記ＤＳＬ信号にＩＤＳＬのピンポンフレーム信号が乗っていることを通知し、
前記通知手段による通知直後に前記第１のＩＤＳＬ回線からのＩＤＳＬのピンポンフレーム信号をＤＳＬ信号の中に組み込んで前記ＤＳＬ加入者回線を介して前記第２の装置に対して送信し、
前記ＤＳＬ加入者回線からの前記制御情報受信直後にＤＳＬ信号を受信するとその受信したＤＳＬ信号の中からＩＤＳＬのピンポンフレーム信号を分離して前記第１のＩＤＳＬ回線に送信し、
前記第２の装置は、前記第２のＩＤＳＬ回線からのＩＤＳＬのピンポンフレーム信号を受信するとすぐ後のＤＳＬ信号がＩＤＳＬであることを示す制御情報を前記ＤＳＬ信号に乗せることで前記第１の装置に対して前記ＤＳＬ信号にＩＤＳＬのピンポンフレーム信号が乗っていることを通知し、
前記通知手段による通知直後に前記第２のＩＤＳＬ回線からのＩＤＳＬのピンポンフレーム信号をＤＳＬ信号の中に組み込んで前記ＤＳＬ加入者回線を介して前記第２の装置に対して送信し、
前記ＤＳＬ加入者回線からの前記制御情報受信直後にＤＳＬ信号を受信するとその受信したＤＳＬ信号の中からＩＤＳＬのピンポンフレーム信号を分離して前記第２のＩＤＳＬ回線に送信することを特徴とするＤＳＬ通信方法。
【発明の詳細な説明】
【０００１】
【発明の属する技術分野】
本発明は、ＤＳＬ通信方式、ＤＳＬ通信装置、およびＤＳＬ通信方法に関し、特に、ＩＤＳＬ信号をＩＤＳＬを除くＤＳＬ加入者回線に流すＤＳＬ通信方式、ＤＳＬ通信装置、およびＤＳＬ通信方法に関する。
【０００２】
【従来の技術】
従来、ＩＤＳＬ（ＩＳＤＮ　Ｄｉｇｉｔａｌ　Ｓｕｂｓｃｒｉｂｅｒ　Ｌｉｎｅ）回線サービスの加入者は、ＩＤＳＬを除くＤＳＬ（Ｄｉｇｉｔａｌ　Ｓｕｂｓｃｒｉｂｅｒ　Ｌｉｎｅ）加入者回線サービスを通信事業者より新たに受ける場合、ＤＳＬと共用できる周波数帯域がＰＯＴＳ（Ｐｌａｉｎ　Ｏｌｄ　Ｔｅｌｅｐｈｏｎｅ　Ｓｅｒｖｉｃｅ：従来の音声通話サービス）で使用しているアナログ回線しかないため、回線契約を変更し、一旦アナログ回線に切り替える必要がある。
【０００３】
また、ＩＤＳＬ回線サービスの加入者は、ＩＤＳＬを除くＤＳＬ加入者回線サービスを通信事業者より新たに受ける場合、ＩＤＳＬ回線とＤＳＬ回線とを同一線束に共存させ、ＩＤＳＬ回線サービスとＤＳＬ回線サービスとの両方を受けている。
【０００４】
【発明が解決しようとする課題】
従来ＤＳＬ加入者回線サービスを受ける場合、ＩＤＳＬ回線サービスの加入者は回線契約変更しアナログ回線に切り替えなければならないため、回線交換の使用が２回線から１回線に減り１回線しか使用できなくなるという問題点がある。
【０００５】
また、ＩＤＳＬ回線サービスの加入者が新たにＤＳＬ加入者回線サービスを通信事業者より受ける場合、専用線を張るための工事が発生すると共に、ＩＤＳＬの回線とＤＳＬの回線が同一線束内に共存することになり、ＩＤＳＬの干渉により、ＤＳＬの品質および獲得レートが低下するという問題点が発生する可能性がある。
【０００６】
本発明の目的は、上記問題点を鑑み、ＩＳＤＬ信号の情報を通信品質を落とすことなくＤＳＬ加入者回線でも送受信できるようにすることにある。
【０００７】
【課題を解決するための手段】
上記問題点を解決するために、本発明の第１のＤＳＬ通信方式は、第１の装置と第２の装置との間をＤＳＬ加入者回線で接続し前記ＤＳＬ加入者回線上にＤＳＬ信号が流れるＤＳＬ通信方式であって、ＩＤＳＬのピンポンフレーム信号をＤＳＬ信号に組み込みその組み込んだＤＳＬ信号を前記ＤＳＬ加入者回線に流す手段を有することを特徴としている。
【０００８】
また、本発明の第２のＤＳＬ通信方式は、第１のＩＤＳＬ回線とのやり取りを行う第１の装置と前記ＩＤＳＬにより第２のＩＤＳＬ回線とのやり取りを行う第２の装置との間をＤＳＬ加入者回線で接続し前記ＤＳＬ加入者回線上にＤＳＬ信号が流れるＤＳＬ通信方式であって、前記第１の装置は、前記第１のＩＤＳＬ回線からのＩＤＳＬのピンポンフレーム信号をＤＳＬ信号の中に組み込んで前記ＤＳＬ加入者回線を介して前記第２の装置に対して送信する第１の送信手段と、前記ＤＳＬ加入者回線からのＤＳＬ信号を受信するとその受信したＤＳＬ信号の中からＩＤＳＬのピンポンフレーム信号を分離して前記第１のＩＤＳＬ回線に送信する第２の送信手段と、を有し、前記第２の装置は、前記第２のＩＤＳＬ回線からのＩＤＳＬのピンポンフレーム信号をＤＳＬ信号の中に組み込んで前記ＤＳＬ加入者回線を介して前記第１の装置に対して送信する第３の送信手段と、前記ＤＳＬ加入者回線からのＤＳＬ信号を受信するとその受信したＤＳＬ信号の中からＩＤＳＬのピンポンフレーム信号を分離して前記第２のＩＤＳＬ回線に送信する第４の送信手段と、を有することを特徴としている。
【０００９】
また、本発明の第３のＤＳＬ通信方式は、第１のＩＤＳＬ回線とのやり取りを行う第１の装置と前記ＩＤＳＬにより第２のＩＤＳＬ回線とのやり取りを行う第２の装置との間をＤＳＬ加入者回線で接続し前記ＤＳＬ加入者回線上にＤＳＬ信号が流れるＤＳＬ通信方式であって、前記第１の装置は、前記第１のＩＤＳＬ回線からのＩＤＳＬのピンポンフレーム信号を受信するとすぐ後のＤＳＬ信号がＩＤＳＬであることを示す制御情報を前記ＤＳＬ信号に乗せることで前記第２の装置に対して前記ＤＳＬ信号にＩＤＳＬのピンポンフレーム信号が乗っていることを通知する第１の通知手段と、前記通知手段による通知直後に前記第１のＩＤＳＬ回線からのＩＤＳＬのピンポンフレーム信号をＤＳＬ信号の中に組み込んで前記ＤＳＬ加入者回線を介して前記第２の装置に対して送信する第１の送信手段と、前記ＤＳＬ加入者回線からの前記制御情報受信直後にＤＳＬ信号を受信するとその受信したＤＳＬ信号の中からＩＤＳＬのピンポンフレーム信号を分離して前記第１のＩＤＳＬ回線に送信する第２の送信手段と、を有し、前記第２の装置は、前記第２のＩＤＳＬ回線からのＩＤＳＬのピンポンフレーム信号を受信するとすぐ後のＤＳＬ信号がＩＤＳＬであることを示す制御情報を前記ＤＳＬ信号に乗せることで前記第１の装置に対して前記ＤＳＬ信号にＩＤＳＬのピンポンフレーム信号が乗っていることを通知する第２の通知手段と、前記通知手段による通知直後に前記第２のＩＤＳＬ回線からのＩＤＳＬのピンポンフレーム信号をＤＳＬ信号の中に組み込んで前記ＤＳＬ加入者回線を介して前記第２の装置に対して送信する第３の送信手段と、前記ＤＳＬ加入者回線からの前記制御情報受信直後にＤＳＬ信号を受信するとその受信したＤＳＬ信号の中からＩＤＳＬのピンポンフレーム信号を分離して前記第２のＩＤＳＬ回線に送信する第４の送信手段と、を有している。
【００１０】
また、本発明の第１のＤＳＬ通信装置は、ＩＤＳＬポートを介してＩＤＳＬ信号により他とやり取りを行い、ＤＳＬポートを介してＤＳＬ信号により他とやり取りを行うＤＳＬ通信装置であって、前記ＩＤＳＬポートからの前記ＩＤＳＬ信号を受信するとその受信したＩＤＳＬ信号からピンポンフレーム信号を抽出して前記ＤＳＬ信号の中に組み込みその組み込んだＤＳＬ信号を前記ＤＳＬポートを介して送信する第１の送信手段と、前記ＤＳＬポートから前記ＤＳＬ信号を受信するとその受信したＤＳＬ信号の中から前記ピンポンフレーム信号を分離する分離手段と、前記分離したピンポンフレームを４００Ｈｚの周期に合わせてＩＤＳＬ信号に乗せ前記ＩＤＳＬポートを介して送信する第２の送信手段と、を有することを特徴としている。
【００１１】
また、本発明の第２の通信装置は、ＩＤＳＬポートを介してＩＤＳＬ信号により他とやり取りを行い、ＤＳＬポートを介してＤＳＬ信号により他とやり取りを行うＤＳＬ通信装置であって、前記ＩＤＳＬポートからの前記ＩＤＳＬ信号を受信するとその受信したＩＤＳＬ信号からピンポンフレーム信号を抽出して送信バッファに格納する格納手段と、前記格納手段により格納するとすぐ後のＤＳＬ信号がＩＤＳＬであることを示す制御情報を前記ＤＳＬ信号の中に組み込みその組み込んだ制御情報を前記ＤＳＬ信号の中に組み込みその組み込んだＤＳＬ信号を前記ＤＳＬポートを介して送ることにより前記ＤＳＬ信号にＩＤＳＬのピンポンフレーム信号が乗っていることを通知する通知手段と、前記通知手段による通知直後に前記送信バッファに格納されたＩＤＳＬのピンポンフレーム信号をＤＳＬ信号の中に組み込んで前記ＤＳＬポートを介して送信する第１の送信手段と、前記ＤＳＬポートから前記制御情報受信直後にＤＳＬ信号を受信するとその受信したＤＳＬ信号の中から前記ピンポンフレーム信号を分離する分離手段と、前記分離したピンポンフレームを４００Ｈｚの周期に合わせてＩＤＳＬ信号に乗せ前記ＩＤＳＬポートを介して送信する第２の送信手段と、を有することを特徴としている。
【００１２】
また、本発明の第１のＤＳＬ通信方法は、第１の装置と第２の装置との間をＤＳＬ加入者回線で接続し前記ＤＳＬ加入者回線上にＤＳＬ信号が流れるＤＳＬ通信方法であって、ＩＤＳＬのピンポンフレーム信号をＤＳＬ信号に組み込みその組み込んだＤＳＬ信号を前記ＤＳＬ加入者回線に流すことを特徴としている。
【００１３】
また、本発明の第２のＤＳＬ通信方法は、第１のＩＤＳＬ回線とのやり取りを行う第１の装置と前記ＩＤＳＬにより第２のＩＤＳＬ回線とのやり取りを行う第２の装置との間をＤＳＬ回線で接続し前記ＤＳＬ加入者回線上にＤＳＬ信号が流れるＤＳＬ通信方法であって、前記第１の装置は、前記第１のＩＤＳＬ回線からのＩＤＳＬのピンポンフレーム信号をＤＳＬ信号の中に組み込んで前記ＤＳＬ加入者回線を介して前記第２の装置に対して送信し、前記ＤＳＬ加入者回線からのＤＳＬ信号を受信するとその受信したＤＳＬ信号の中からＩＤＳＬのピンポンフレーム信号を分離して前記第１のＩＤＳＬ回線に送信し、前記第２の装置は、前記第２のＩＤＳＬ回線からのＩＤＳＬのピンポンフレーム信号をＤＳＬ信号の中に組み込んで前記ＤＳＬ加入者回線を介して前記第１の装置に対して送信し、前記ＤＳＬ加入者回線からのＤＳＬ信号を受信するとその受信したＤＳＬ信号の中からＩＤＳＬのピンポンフレーム信号を分離して前記第２のＩＤＳＬ回線に送信することを特徴としている。
【００１４】
また、本発明の第３のＤＳＬ通信方法は、第１のＩＤＳＬ回線とのやり取りを行う第１の装置と前記ＩＤＳＬにより第２のＩＤＳＬ回線とのやり取りを行う第２の装置との間をＤＳＬ加入者回線で接続し前記ＤＳＬ加入者回線上にＤＳＬ信号が流れるＤＳＬ通信方法であって、前記第１の装置は、前記第１のＩＤＳＬ回線からのＩＤＳＬのピンポンフレーム信号を受信するとすぐ後のＤＳＬ信号がＩＤＳＬであることを示す制御情報を前記ＤＳＬ信号に乗せることで前記第２の装置に対して前記ＤＳＬ信号にＩＤＳＬのピンポンフレーム信号が乗っていることを通知し、前記通知手段による通知直後に前記第１のＩＤＳＬ回線からのＩＤＳＬのピンポンフレーム信号をＤＳＬ信号の中に組み込んで前記ＤＳＬ加入者回線を介して前記第２の装置に対して送信し、前記ＤＳＬ加入者回線からの前記制御情報受信直後にＤＳＬ信号を受信するとその受信したＤＳＬ信号の中からＩＤＳＬのピンポンフレーム信号を分離して前記第１のＩＤＳＬ回線に送信し、前記第２の装置は、前記第２のＩＤＳＬ回線からのＩＤＳＬのピンポンフレーム信号を受信するとすぐ後のＤＳＬ信号がＩＤＳＬであることを示す制御情報を前記ＤＳＬ信号に乗せることで前記第１の装置に対して前記ＤＳＬ信号にＩＤＳＬのピンポンフレーム信号が乗っていることを通知し、前記通知手段による通知直後に前記第２のＩＤＳＬ回線からのＩＤＳＬのピンポンフレーム信号をＤＳＬ信号の中に組み込んで前記ＤＳＬ加入者回線を介して前記第２の装置に対して送信し、前記ＤＳＬ加入者回線からの前記制御情報受信直後にＤＳＬ信号を受信するとその受信したＤＳＬ信号の中からＩＤＳＬのピンポンフレーム信号を分離して前記第２のＩＤＳＬ回線に送信することを特徴としている。
【００１５】
【発明の実施の形態】
次に、本発明の実施の形態について図面を参照して説明する。
【００１６】
図３を参照すると、本発明の実施の形態のシステムの構成を示したブロック図であって、このシステムは、電話局であるＣＯ１（ＣＯ：Ｃｅｎｔｒａｌ　Ｏｆｆｉｃｅ）と、宅内機器であるＣＰＥ２（ＣＰＥ：Ｃｕｓｔｏｍｅｒ　Ｐｒｅｍｉｓｅｓ　Ｅｑｕｉｐｍｅｎｔ）と、電話機６対応のプロトコルに変換するプロトコル変換機であるターミナルアダプタ５と、電話機６と、データ端末装置であるＤＴＥ７（ＤＴＥ：Ｄａｔａ　Ｔｅｒｍｉｎａｌ　Ｅｑｕｉｐｍｅｎｔ）と、従来からのＩＤＳＬのアクセスシステムにおける回線交換設備３と、ＩＤＳＬ回線を終端する線路終端装置４と、ＤＳＬ加入者回線でＣＯ１とＣＰＥ２とを接続するＤＳＬ加入者線９００とから構成される。なお、センター側には、ＣＯ１と回線交換設備３と線路終端装置４とが設置され、リモート側には、ＣＰＥ２とターミナルアダプタ５と電話機６とＤＴＥ７とが設置されている。この場合のＤＳＬ加入者線９００は、ＡＤＳＬ（Ａｓｙｍｍｅｔｒｉｃ　Ｄｉｇｉｔａｌ　Ｓｕｂｓｃｒｉｂｅｒ　Ｌｉｎｅ：非対称ディジタル加入者線）加入者回線である。また、ＣＯ１と線路終端装置４との間は、ＩＤＳＬ回線で接続されている。また、ＣＰＥ２とターミナルアダプタ５との間は、ＩＤＳＬ回線で接続されている。この場合のＩＤＳＬ回線上には、ＴＴＣ（電信電話技術委員会）がＩＴＵ−Ｔ勧告Ｇ９６１を基に規定したピンポンフレームが流れている。このピンポンフレームすなわち４００Ｈｚ毎に１フレーム３７７ビットが交互にやり取りするような形で流れている。
【００１７】
図１を参照すると、図３のＣＯ１内の複数のＬＴＵ（ラインターミナルユニット）の１つのＬＴＵ内およびＣＰＥ２内の回路ブロック構成を示す。なお、この場合、ＣＯ１のＬＴＵおよびＣＰＥ２は、ＣＰＵ（プロセッサ）によりプログラム制御で動作するＤＳＬ通信装置にあたる。
【００１８】
図１のＣＯ１のＬＴＵは、ＣＰＵであるＣＰＵ１１と、ＣＰＵによりＣＯ１のＬＴＵの制御を行うプログラムを格納している読出し専用の不揮発性のメモリであるＲＯＭ１２と、読出し書き込みのできるメモリであるＲＡＭ１３と、ＩＤＳＬポート１４１と、ＩＤＳＬ回線終端回路部であるＬＴ１４２（ＬＴ：ＬｉｎｅＴｅｒｍｉｎａｔｉｏｎ）と、ＩＤＳＬ回線データ処理回路部であるＣＴ１４３（ＣＴ：Ｃｅｎｔｅｒ　Ｔｅｒｍｉｎａｔｉｏｎ）と、ＤＳＬポート１５１と、モデム部１５２と、ＣＯ１内のＩＳＰ側のユニットとデータのやり取りを行うインタフェース回路部１６とから構成される。なお、ＣＰＵ１１とＲＯＭ１２とＲＡＭ１３とＣＴ１４３とモデム部１５２とインタフェース回路部１６とは、ＣＯ１内の共通バスに接続されている。また、ＣＯ１のＬＴＵは、複数存在する。
【００１９】
図１のＣＰＥ２は、ＣＰＵであるＣＰＵ２１と、ＣＰＵによりＣＰＥ２の制御を行うプログラムを格納している読出し専用の不揮発性のメモリであるＲＯＭ２２と、読出し書き込みのできるメモリであるＲＡＭ２３と、ＩＤＳＬポート２４１と、ＩＤＳＬ回線終端回路部であるＬＴ２４２と、ＩＤＳＬ回線データ処理回路部であるＣＴ２４３と、ＤＳＬポート２５１と、モデム部２５２と、イーサーネットポート２７１と、ＬＡＮアダプタ２７２とから構成される。なお、ＣＰＵ２１とＲＯＭ２２とＲＡＭ２３とＣＴ２４とモデム部２５２とＬＡＮアダプタ２７２とは、ＣＰＥ２内の共通バスに接続されている。
【００２０】
すなわち、図１のＣＯ１のＬＴＵは、一般的なＤＳＬをサポートしているＬＴＵに対してＩＤＳＬを終端する回路を余分に設けており、このＩＤＳＬをサポートできるように、ＩＤＳＬポート１４１とＬＴ１４２とＣＴ１４３とそれらをＣＰＵ１１によりプログラム制御を行う制御方法とを含むことになる。また、図１のＣＰＥ２は、一般的なＤＳＬをサポートしているＣＰＥに対してＩＤＳＬを終端する回路を余分に設けており、このＩＤＳＬをサポートできるように、ＩＤＳＬポート２４１とＬＴ２４３とＣＴ２４３とそれらをＣＰＵ２１によりプログラム制御を行う制御方法とを含むことになる。
【００２１】
図２を参照すると、図１のＲＡＭ１３およびＲＡＭ２３内に割り当てられたバッファの構成を示すブロック図である。
【００２２】
図２のＲＡＭ１３には、ＤＳＬ加入者線９００でＤＳＬ信号として送受信時に使用される送信バッファと受信バッファとが設けられており、ＤＳＬ送信バッファ１３１と、ＩＤＳＬ送信バッファ１３２と、ＤＳＬ受信バッファ１３３と、ＩＤＳＬ受信バッファ１３４とが割り当てられている。特に、ＩＤＳＬ送信バッファ１３２は、ＩＤＳＬ用のデータ領域として、１フレーム分３７７ビットが確保できるように割り当てられているが、呼設定受信時にそのＩＤＳＬ用データ領域が確保される。この場合のＤＳＬ送信バッファ１３１、ＤＳＬ受信バッファ１３３、ＩＤＳＬ送信バッファ１３２、およびＩＤＳＬ受信バッファ１３４には、パケット形式で格納される。
【００２３】
図２のＲＡＭ２３には、ＤＳＬ加入者線９００でＤＳＬ信号として送受信時に使用される送信バッファと受信バッファとが設けられており、ＤＳＬ送信バッファ２３１と、ＩＤＳＬ送信バッファ２３２と、ＤＳＬ受信バッファ２３３と、ＩＤＳＬ受信バッファ２３４とが割り当てられている。特に、ＩＤＳＬ送信バッファ２３２は、ＩＤＳＬ用のデータ領域として１フレーム分３７７ビットが確保できるように割り当てられているが、呼設定受信時にそのＩＤＳＬ用データ領域が確保される。この場合のＤＳＬ送信バッファ２３１、ＤＳＬ受信バッファ２３３、ＩＤＳＬ送信バッファ２３２、およびＩＤＳＬ受信バッファ２３４には、パケット形式で格納される。
【００２４】
図１のＬＴ１４３は、ＩＤＳＬポート１４１からＩＤＳＬ信号を受信した場合には、クロックとデータを抽出し、ＩＤＳＬポートを介して線路終端装置４にＩＤＳＬ信号を送信する場合には、ＣＴ４３から受け取ったシリアルデータを同期フレームクロック４００Ｈｚ（２５ｍｓサイクルの保証）に同期させてＩＤＳＬポートを介して線路終端装置４にＩＤＳＬ信号を送信する。
【００２５】
図１のＣＴ１４３は、ＬＴ１４２から受け取ったシリアルデータが呼制御（呼設定、呼切断等）に伴うデータかどうかを検索し、呼制御に伴うデータであれば、ＣＰＵに割り込みをかけ、ＣＰＵ１１にＲＡＭ１３のＩＤＳＬ送信バッファ１３２を確保させ、受信したＩＤＳＬデータ（この場合、呼設定データ）を基にＲＡＭ１３のＩＤＳＬ送信バッファ１３２に呼設定に必要なデータを格納させる。ＣＴ１４３は、呼制御に伴わないデータでないならば、シリアルデータをパラレルデータに変換して、確保されているＲＡＭ１３のＩＤＳＬ送信バッファ１３２に変換したデータを格納し、格納したことをＣＰＵ１１に通知する。すなわち、パケット形式のＩＤＳＬのピンポンフレーム信号がＩＤＳＬ送信バッファ１３２に格納されたことになる。
【００２６】
また、ＣＴ１４３は、ＣＰＵ１１から起動をかけられると、ＲＡＭ１３のＩＤＳＬ受信バッファ１３４から順に読み出したパラレルデータをシリアルデータに変換し、ＬＴ１４２に渡す。
【００２７】
図１のＬＴ２４３は、ＩＤＳＬポート２４１からＩＤＳＬ信号を受信した場合には、クロックとデータを抽出し、ＩＤＳＬポートを介してターミナルアダプタ５にＩＤＳＬ信号を送信する場合には、ＣＴ４３から受け取ったシリアルデータを同期フレームクロック４００Ｈｚ同期させてＩＤＳＬポートを介してターミナルアダプタ５にＩＤＳＬ信号を送信する。
【００２８】
図１のＣＴ２４３は、ＬＴ２４２から受け取ったシリアルデータが呼制御（呼設定、呼切断等）に伴うデータかどうかを検索し、呼制御に伴うデータであれば、ＣＰＵに割り込みをかけ、ＣＰＵ２１にＲＡＭ２３のＩＤＳＬ送信バッファ２３２を確保させ、受信したＩＤＳＬデータ（この場合、呼設定データ）を基にＲＡＭ２３のＩＤＳＬ送信バッファ２３２に呼設定に必要なデータを格納させる。ＣＴ２４３は、呼制御に伴わないデータでないならば、シリアルデータをパラレルデータに変換して、確保されているＲＡＭ２３のＩＤＳＬ送信バッファ２３２に変換したデータを格納し、格納したことをＣＰＵ２１に通知する。すなわち、パケット形式のＩＤＳＬのピンポンフレーム信号がＩＤＳＬ送信バッファ２３２に格納されたことになる。
【００２９】
また、ＣＴ２４３は、ＣＰＵ２１から起動をかけられると、ＲＡＭ２３のＩＤＳＬ受信バッファ２３４から順に読み出したパラレルデータをシリアルデータに変換し、ＬＴ２４２に渡す。
【００３０】
ところで、呼は網側からの着呼および端末側からの発呼があり、ＩＤＳＬの網接続の形態として呼毎接続および常時接続がある。常時接続があるためレイヤ１及びレイヤ２においては識別不可能である。ＣＴ１４３およびＣＴ２４３にて行う呼の検出は、Ｄｃｈにて転送されるレイア３の呼制御のプロトコル識別子００００１０００、発呼または着呼を識別するフラグ、呼番号、メッセージタイプにて検出を行う。この識別子及びフラグの変化により呼が発生することをＣＴ１４３，２４３が検出を行い、ＣＯ１またはＣＰＥ２内部で必要とする呼制御に伴う処理、ＩＤＳＬ送信バッファ１３２，２３２の確保および呼設定情報の設定をそれぞれのＣＰＵ１１，２１に行わせる。その後、対向するＣＯ１またはＣＰＥ２への転送は、データ通信までの間に確保したＩＤＳＬ受信バッファ１３３，２３４に格納されているプロトコル識別子００００１０００および発呼，着呼のフラグ、呼番号、メッセージタイプをそのまま転送し通知する。受信側も、モデム部１５２，２５２を介してＩＤＳＬ受信バッファ１３４，２３４に格納されると、ＣＰＵ１１，２１に通知される（割り込む）が、通知されたＣＰＵ１１，２１がＩＤＳＬ受信バッファ１３４，２３４に格納された呼制御に伴う制御データをＣＰＵ１１，２１が読み出すことで呼制御の管理を行う。
【００３１】
次に、図１〜図４を参照して、本発明の実施の形態の動作について説明する。
【００３２】
下りデータ通信において、図２に示す線路終端装置４からのディジタル回線をそのまま終端したＣＯ２の内部では、図１のＩＤＳＬポート１４１を経てＬＴ１４２にて回線終端する。すなわち、ＬＴ１４２にてＩＤＳＬポート１４１から受信したＩＤＳＬ信号を基にクロックとデータとが抽出され、抽出されたデータは、ＣＴ１４３にてデータ処理される。ＣＴ１４３は、呼制御に伴うデータを検出すると、ＣＰＵ１１に呼制御に伴うデータを受信したことを通知する。
【００３３】
すると、ＣＰＵ１１は、ＲＡＭ１３のＩＤＳＬ送信バッファ１３２を確保し、確保したＩＤＳＬ送信バッファ１３２に受信した呼設定データを基に呼設定情報格納する（図４のステップＳ１，Ｓ２，Ｓ３）。
【００３４】
更に、ＣＰＵ１１は、あらかじめＲＡＭ１３に格納された制御情報パケットを、モデム１１５２を介してＤＳＬ信号であるＤＳＬフレームに乗せる（組み込む）ことによりＤＳＬ加入者線９００に向けて送信し、引き続きＩＤＳＬ送信バッファ１３１の内容（この場合、呼設定パケット）を、モデム１１５２を介してＤＳＬフレームに乗せる（組み込む）ことによりＤＳＬ加入者線９００に向けて送信する（ステップＳ４，Ｓ５）。この場合の制御情報パケット（ＩＤＳＬ識別パケット）は、ＤＳＬ信号に乗っているすぐ後のパケットがＩＤＳＬ用のパケットであることを示す。
【００３５】
一方、ＣＴ１４３は、呼制御に伴わないデータを検出しなければ、シリアルデータをパラレルデータに変換し、確保されているＲＡＭ１３のＩＤＳＬ送信バッファ１３２に変換したデータを取り込み、ＩＤＳＬデータがＩＤＳＬ送信バッファ１３２に格納されたことをＣＰＵ１１に通知する。
【００３６】
通知を受けたＣＰＵ１１は、あらかじめＲＡＭ１３に格納された制御情報パケットを、モデム１１５２を介してＤＳＬ信号であるＤＳＬフレームに乗せる（組み込む）ことによりＤＳＬ加入者線９００に向けて送信し、引き続きＩＤＳＬ送信バッファ１３１の内容を、モデム１１５２を介してＤＳＬフレームに乗せる（組み込む）ことによりＤＳＬ加入者線９００に向けて送信する（ステップＳ１，Ｓ６，Ｓ４，Ｓ５）。この場合の制御情報パケット（ＩＤＳＬ識別パケット）は、ＤＳＬ信号に乗っているすぐ後のパケットがＩＤＳＬ用のパケットであることを示す。
【００３７】
一方、インタフェース回路部１６を介して受信したＤＳＬデータ（リモート側のＤＴＥ７に送信すべきデータでパケット形式になっている）が、ＲＡＭ１３内のＤＳＬ送信バッファ１３１に格納される。ＲＡＭ１３のＤＳＬ送信バッファ１３１に格納されると、ＣＰＵ１１は、ＲＡＭ１３のＤＳＬ送信バッファ１３１に取り込まれたパケットを、モデム部１５２でＤＳＬフレームに載せ、ＤＳＬポート１５１を介してＣＰＥ２に送信する。
【００３８】
従って、ＲＡＭ１３のＤＳＬ送信バッファ１３１とＩＤＳＬ送信バッファ１３２とが存在する場合、ＤＳＬ加入者線９００上に流れるＤＳＬフレームには、本来のＤＳＬ信号のシリアルデータ（パケット）とＩＤＳＬのピンポンフレーム信号（パケット）とが混在することになり、ＤＳＬ信号であるＤＳＬフレームにＩＤＳＬのパケットが組み込まれたことになる。従って、ＤＳＬ信号しか流れないＤＳＬ加入者線９００上に、ＩＤＳＬの１バーストのデータ幅である３７７ビットを、４００Ｈｚの半周期内に送信できるデータ領域として確保することができる。
【００３９】
ＤＳＬ加入者線９００、ＤＳＬポート２５１を介してＤＳＬ信号を受信したＣＰＥ２のモデム部２５２は、アナログ信号をディジタル信号に変換し、直前にＩＤＳＬ識別パケットを受信していなければ（ＩＤＳＬ識別フリップフロップがオフになっていれば）、ＲＡＭ２３のＤＳＬ受信バッファ２３３に格納する。
【００４０】
ＩＤＳＬのパケットがＤＳＬフレームに乗っている場合には、直前にＩＤＳＬ識別パケットが送られてくる。この場合、モデム部２５２がＩＤＳＬ識別パケットを検出すると、図示していないモデム部１５２内の識別フリップフロップをオンにする。やがて、モデム部２５２は、ＤＳＬフレームに載ったＩＤＳＬパケットを受信すると、識別フリップフロップがオンのため、ＩＤＳＬパケットをＲＡＭ２３のＩＤＳＬ受信バッファ２３４に格納すると共に、識別フリップフロップをオフにする。ＤＳＬ信号のデータがＲＡＭ２３のＩＤＳＬ受信バッファ２３４に格納されると、受信バッファに格納されたことを通知する。通知を受けたＣＰＵ２１は、ＩＤＳＬ受信バッファ２３４に呼制御に伴うデータが入ったかどうかを確認し、呼制御に伴うデータであれば、呼制御に伴う処理を行ってからＣＴ２４３に起動をかける。ＣＰＵ２１は、呼制御に伴わないデータであれば、そのままＣＴ２４３に起動をかける。起動をかけられたＣＴ２４３は、ＲＡＭ２３のＩＤＳＬ受信バッファ２３４からＩＤＳＬデータを読み出してパラレルデータからシリアルデーに変換し、制御をＣＴ２４３に渡す。すなわち、送信側でＩＤＳＬのピンポンフレーム信号がＤＳＬ信号内にインバンド符号化され、受信側でＤＳＬ信号内のインバンド符号化されたＩＤＳＬのピンポンフレーム信号を取り出すことになる。
【００４１】
更に、３７７ビットのＩＤＳＬのピンポンフレーム信号は、ＣＴ２４３で信号処理が行われ、ＬＴ２４２においてＣＰＥ２内で生成される同期フレームクロック４００Ｈｚに同期されてＩＤＳＬ信号としてＩＤＳＬポート２４１に接続されるターミナルアダプタ５を介して電話機６へ送出される。この場合、ＣＰＵ２１は、呼制御に伴うデータであれば、データを送信する前に、ＣＰＥ２内で必要な呼制御に伴う処理を行う。
【００４２】
一方、ＣＰＵ２１は、ＲＡＭ２３のＤＳＬ受信バッファ２３１に格納されたＤＳＬデータ（この場合ＩＰパケット）に対するプロトコル処理（ルータ処理）を行って、をＬＡＮアダプタ２７２、イーサポート２７１を介して、ＩＰプロトコルの基でＤＴＥ７に送信する。
【００４３】
上りデータ通信の場合には、上記とＣＯ１とＣＰＥ２におけるデータの流れが逆になるだけで動作自体変わらないので説明を省略する。すなわち、電話６からのＩＤＳＬ信号は、ＣＰＥ２のＲＡＭ２３の送信バッファ内のＩＤＳＬ用データ領域に取り込まれ、更に、ＤＳＬ信号としてＤＳＬ加入者線９００を介してＣＯ１に送出される。ＤＳＬ加入者線９００から送られてきたＤＳＬ信号は、ＣＯ１のＲＡＭ１３の受信バッファのＩＤＳＬ用データ領域に格納され、更に、ＩＤＳＬ用データ領域に格納されたデータは、ＣＯ１のＣＴ１４３によりＩＤＳＬ信号として線路終端装置４に送信される。
【００４４】
以上、上記の実施の形態で説明したように、本発明では、ＲＡＭ１３または２３内にＩＤＳＬ送信バッファおよびＩＤＳＬ受信バッファを設け、ＩＤＳＬのピンポンフレーム信号をインバンド符号化し送受信するようにしているため、ＤＳＬ加入者回線にてＩＤＳＬのサービスを受けることができる。
【００４５】
また、本発明では、ＩＤＳＬのピンポンフレーム信号をインバンド符号化し送受信するようにしているため、同一線束内の他のＩＤＳＬの信号による通信干渉が無くなり通信品質および獲得レートの低下を抑制することができる。
【００４６】
また、本発明では、ＩＤＳＬのピンポンフレーム信号をインバンド符号化し送受信するようにしているため、従来のＩＤＳＬ線路終端装置をそのまま使用することができる。
【００４７】
また、本発明では、ＩＤＳＬのピンポンフレーム信号をインバンド符号化し送受信するようにしているため、従来のＩＤＳＬのサブアドレス等の加入者サービスが継続できる。
【００４８】
【発明の効果】
本発明は、ＩＤＳＬのピンポンフレーム信号をＤＳＬ信号にインバンド符号化し送受信するため、ＤＳＬ加入者回線にてＩＤＳＬサービスを受けることができるという効果がある。
【００４９】
また、本発明は、ＩＤＳＬのピンポンフレーム信号をＤＳＬ信号にインバンド符号化し送受信するため、同一線束内のＩＤＳＬの信号による通信干渉がＤＳＬの帯域内のデータ列となることにより干渉の心配が無くなり通信品質および獲得レートの低下を抑制することができるという効果がある。
【図面の簡単な説明】
【図１】図３のＣＯのＬＴＵ内の構成を示すブロック図、および図３のＣＰＥ内の構成を示すブロック図を示す。
【図２】図１のＣＯのＬＴＵのＲＡＭ内のバッファのブロック図、および図１のＣＰＥのＲＡＭ内のバッファのブロック図を示す。
【図３】本発明の実施の形態におけるシステムの構成を示すブロック図である。
【図４】図３のそれぞれのＣＰＵがＣＴから割り込みを受けた場合の動作を示すフローチャートである。
【符号の説明】
１　　ＣＯ
２　　ＣＰＥ
３　　回線交換設備
４　　線路終端装置
５　　ターミナルアダプタ
６　　電話機
７　　ＤＴＥ
１１，２１　　ＣＰＵ
１２，２２　　ＲＯＭ
１３，２３　　ＲＡＭ
１６　　インタフェース回路部
１３１，２３１　　ＤＳＬ送信バッファ
１３２，２３２　　ＩＤＳＬ送信バッファ
１３３，２３３　　ＤＳＬ受信バッファ
１３４，２３４　　ＩＤＳＬ受信バッファ
１４１，２４１　　ＩＤＳＬポート
１４２，２４２　　ＬＴ
１４３，２４３　　ＣＴ
１５１，２５１　　ＤＳＬポート
１５２，２５２　　モデム部
２７１　　イーサポート
２７２　　ＬＡＮアダプタ
９００　　ＤＳＬ加入者線
【図１】
2004064219.tif 000003
【図２】
2004064219.tif 000004
【図３】
2004064219.tif 000005
【図４】
2004064219.tif 000006